(57)【特許請求の範囲】
【請求項１】
複数の電子装置が協調して共通機能を実行し、かつ、当該複数の電子装置のうちの一部の電子装置のみが上記共通機能とともに付加機能を実行する電子装置システムを構成する電子装置であって、
他の電子装置と協調して、上記共通機能を実行する共通機能手段と、
上記共通機能とともに、上記付加機能を実行する付加機能手段と、
自装置の電池残量を検出する電池残量検出手段とを備えるとともに、
上記電子装置システムが備える付加機能割当手段から、自装置に対する上記付加機能の割り当てを受け付けて、上記付加機能手段に上記付加機能を実行させ、かつ、上記電池残量検出手段が自装置の電池残量が基準以下となったことを検出したとき、その旨を上記付加機能割当手段に通知する制御手段を備え、
上記制御手段は、上記付加機能割当手段への自装置の電池残量が基準以下となった旨の通知に対して、上記付加機能割当手段から、自装置に対する上記付加機能の割り当ての解除を受け付けて、上記付加機能手段に上記付加機能の実行を停止させ、
停止された上記付加機能は、ユーザ操作検出機能であり、かつ、当該停止に伴って他の電子装置に割り当てられることを特徴とする電子装置。
【請求項２】
複数の電子装置が協調して共通機能を実行し、かつ、当該複数の電子装置のうちの一部の電子装置のみが上記共通機能とともに付加機能を実行する電子装置システムを構成する電子装置の制御方法であって、
上記電子装置システムが備える付加機能割当手段から、自装置に対する上記付加機能の割り当てを受け付けて、上記付加機能を実行する付加機能実行ステップと、
自装置の電池残量が基準以下となったことを検出したとき、その旨を上記付加機能割当手段に通知する電池残量通知ステップと、
上記付加機能割当手段への自装置の電池残量が基準以下となった旨の通知に対して、上記付加機能割当手段から、自装置に対する上記付加機能の割り当ての解除を受け付けて、上記付加機能の実行を停止させるステップとを含み、
停止された上記付加機能は、ユーザ操作検出機能であり、かつ、当該停止に伴って他の電子装置に割り当てられることを特徴とする電子装置の制御方法。
【請求項３】
複数の電子装置が協調して共通機能を実行し、かつ、当該複数の電子装置のうちの一部の電子装置のみが上記共通機能とともに付加機能を実行する電子装置システムを構成する付加機能割当装置であって、
上記複数の電子装置のうちの一部の電子装置のみが上記共通機能とともに付加機能を実行するように、当該一部の電子装置に上記付加機能を割り当てるとともに、上記付加機能を割り当てた電子装置の電池残量が基準以下となったとき、当該付加機能を他の電子装置に割り当て直す付加機能割当手段を備えることを特徴とする付加機能割当装置。
【請求項４】
上記付加機能割当手段は、割り当て直す前の電子装置に最も近接している電子装置に付加機能を割り当てることを特徴とする請求項３に記載の付加機能割当装置。
【請求項５】
複数の電子装置が協調して共通機能を実行し、かつ、当該複数の電子装置のうちの一部の電子装置のみが上記共通機能とともに付加機能を実行する電子装置システムを構成する付加機能割当装置の制御方法であって、
上記付加機能を割り当てた上記一部の電子装置の電池残量が基準以下となったとき、当該付加機能を他の電子装置に割り当て直す付加機能割当変更ステップを含む、ことを特徴とする付加機能割当装置の制御方法。
【請求項６】
複数の電子装置が協調して共通機能を実行し、かつ、当該複数の電子装置のうちの一部の電子装置のみが上記共通機能とともに付加機能を実行する電子装置システムであって、
上記複数の電子装置のうちの一部の電子装置のみが上記共通機能とともに付加機能を実行するように、当該一部の電子装置に上記付加機能を割り当てる付加機能割当手段を備えてなり、
上記の各電子装置は、
他の電子装置と協調して、上記共通機能を実行する共通機能手段と、
上記共通機能とともに、上記付加機能を実行する付加機能手段と、
自装置の電池残量を検出する電池残量検出手段とをそれぞれ備え、
上記付加機能割当手段は、上記付加機能を割り当てた電子装置の電池残量が基準以下となったとき、当該付加機能を他の電子装置に割り当て直すことを特徴とする電子装置システム。
【請求項７】
上記共通機能が画像表示機能であることを特徴とする請求項６に記載の電子装置システム。
【請求項８】
上記付加機能が音声出力機能であることを特徴とする請求項６または７に記載の電子装置システム。
【請求項９】
上記付加機能がユーザ操作検出機能であることを特徴とする請求項６または７に記載の電子装置システム。
【請求項１０】
請求項１に記載の電子装置の上記各手段としてコンピュータを機能させるためのプログラム。
【請求項１１】
請求項３または４に記載の付加機能割当装置の上記付加機能割当手段としてコンピュータを機能させるためのプログラム。
【請求項１２】
請求項１０または１１に記載のプログラムを記録したコンピュータ読み取り可能な記録媒体。
【発明の詳細な説明】
【技術分野】
【０００１】
本発明は、複数の電子装置が協調して画像表示等の機能を実行する電子装置システム等に関する。
【背景技術】
【０００２】
近年、インフォメーションディスプレイあるいは業務用ディスプレイ等に、複数の画像表示装置を隣接配置してより大きな画面とし、１つの画像を協調表示するように構成したものがある。例えば、特許文献１には、複数の画像表示装置を用いて、簡便にマルチ画面表示環境を構築するためのマルチ画面設定方法が記載されている。
【０００３】
また、複数画面を構成する各表示装置に対して、それらの配置位置に応じて、個別に機能を割り当てる技術がある。例えば、特許文献２には、複数の表示部によって構成される大画面の中に占める各表示部の画面の位置に応じた音を各表示部から出力することができる表示装置が記載されている。具体的には、左側に位置する表示部の音出力部からは左チャネルの音を出力し、かつ、右側に位置する表示部の音出力部からは右チャネルの音を出力することが記載されている。
【０００４】
さらに、音出力部を備えた表示装置において、電池の残量に応じて、動作を変更する技術がある。例えば、特許文献３には、テレビ放送視聴中に、電池の残量が所定量以下となった場合に、表示装置の表示フレームレートを低下させて、電力消費を抑制して視聴時間を延ばす方法、および電池の残量が所定量以下となった場合に、他の装置でテレビ放送を記録し、他の装置で記録したテレビ放送を後から視聴することを可能にする方法が記載されている。
【先行技術文献】
【特許文献】
【０００５】
【特許文献１】特開２００３−２７１１１８号公報（２００３年９月２５日公開）
【特許文献２】特開２００８−０１１４７５号公報（２００８年１月１７日公開）
【特許文献３】特開２００６−０５０５５５号公報（２００６年２月１６日公開）
【発明の概要】
【発明が解決しようとする課題】
【０００６】
しかしながら、上述のような従来技術では、複数の表示装置で協調表示している場合において、各表示装置が配置位置に応じて、例えば特定の音を出力する機能等の付加機能が割り当てられている場合に、当該表示装置の電池残量が減少し、機能を続行できなくなると、複数の表示装置全体として機能低下してしまうという問題がある。例えば、特定の音を出力していた表示装置の電池残量が少なくなり、画像表示および音声出力ができなくなると、協調表示の一部が表示されなくなることに加えて、特定の音が全く聞こえなくなり、複数の表示装置全体としての機能が著しく低下する。
【０００７】
本発明は、上記の問題に鑑みてなされたものであり、その目的は、複数の電子装置が協調して共通機能を実行し、かつ、当該複数の電子装置のうちの一部の電子装置のみが上記共通機能とともに付加機能を実行する電子装置システムにおいて、付加機能を実行する電子装置の電池残量の減少に対して、電子装置システム全体としての機能の低下を抑えることができる電子装置、電子装置の制御方法、付加機能割当装置、付加機能割当装置の制御方法、電子装置システム、プログラム、コンピュータ読み取り可能な記録媒体を提供することにある。
【課題を解決するための手段】
【０００８】
上記課題を解決するために、本発明に係る電子装置は、複数の電子装置が協調して共通機能を実行し、かつ、当該複数の電子装置のうちの一部の電子装置のみが上記共通機能とともに付加機能を実行する電子装置システムを構成する電子装置であって、他の電子装置と協調して、上記共通機能を実行する共通機能手段と、上記共通機能とともに、上記付加機能を実行する付加機能手段と、自装置の電池残量を検出する電池残量検出手段とを備えるとともに、上記電子装置システムが備える付加機能割当手段から、自装置に対する上記付加機能の割り当てを受け付けて、上記付加機能手段に上記付加機能を実行させ、かつ、上記電池残量検出手段が自装置の電池残量が基準以下となったことを検出したとき、その旨を上記付加機能割当手段に通知する制御手段を備えることを特徴としている。
【０００９】
また、本発明に係る電子装置の制御方法は、複数の電子装置が協調して共通機能を実行し、かつ、当該複数の電子装置のうちの一部の電子装置のみが上記共通機能とともに付加機能を実行する電子装置システムを構成する電子装置の制御方法であって、上記電子装置システムが備える付加機能割当手段から、自装置に対する上記付加機能の割り当てを受け付けて、上記付加機能を実行する付加機能実行ステップと、自装置の電池残量が基準以下となったことを検出したとき、その旨を上記付加機能割当手段に通知する電池残量通知ステップとを含むことを特徴としている。
【００１０】
上記の構成によれば、電子装置システムを構成する電子装置は、電子装置システムの付加機能割当手段から付加機能の割り当てを受け付けて、その付加機能を実行する。これにより、電子装置システムの複数の電子装置のうち、付加機能の割り当てを受け付けた一部の電子装置のみが、共通機能とともに付加機能を実行することができる。そして、付加機能を実行している電子装置は、自装置の電池残量が基準以下となったことを検出したとき、その旨を電子装置システムの付加機能割当手段に通知する。これにより、当該電子装置は、付加機能を継続、停止、あるいは機能縮小するのか等の指示を、電子装置システムの付加機能割当手段から受けることが可能となる。また、電子装置システムの付加機能割当手段は、付加機能を実行する電子装置の電池残量の減少を検出することができるため、その状況に応じた最適な制御を選択することが可能となる。例えば、当該電子装置に隣接する電子装置に付加機能を割り当て直すことにより、付加機能を維持させるとともに、電池残量が減少した電子装置の稼働時間を延長させて共通機能を維持させることができる。
【００１１】
したがって、付加機能を実行する電子装置の電池残量の減少に対して、電子装置システム全体としての機能の低下を抑えるように、最適な制御を選択することが可能となるという効果を奏する。
【００１２】
ここで、上記共通機能は、複数の電子装置が協調して１つ以上の画像情報を出力する画像表示機能であってもよい。また、上記付加機能は、音声出力機能や、ユーザによるタッチ操作等を検出するユーザ操作検出機能であってもよい。また、共通機能と付加機能とは、異種の機能でなくてもよく、例えば表示内容が異なれば、共通機能および付加機能がともに表示機能であってもよい。
【００１３】
さらに、本発明に係る電子装置は、上記制御手段は、上記付加機能割当手段への自装置の電池残量が基準以下となった旨の通知に対して、上記付加機能割当手段から、自装置に対する上記付加機能の割り当ての解除を受け付けて、上記付加機能手段に上記付加機能の実行を停止させることを特徴としている。
【００１４】
上記の構成によれば、さらに、付加機能を実行する電子装置の電池残量が減少したとき、当該電子装置の付加機能を停止して、電池残量が減少した電子装置の稼働時間を延長させることができる。
【００１５】
これにより、電池残量が減少した電子装置に共通機能を維持させることができるため、電子装置システム全体としての機能の低下を抑えることができるという効果を奏する。また、付加機能を電池残量が減少した電子装置から、他の電子装置に割り当て直すことにより、電子装置システム全体として、付加機能を維持することができるという効果を奏する。
【００１６】
また、本発明に係る付加機能割当装置は、複数の電子装置が協調して共通機能を実行し、かつ、当該複数の電子装置のうちの一部の電子装置のみが上記共通機能とともに付加機能を実行する電子装置システムを構成する付加機能割当装置であって、上記複数の電子装置のうちの一部の電子装置のみが上記共通機能とともに付加機能を実行するように、当該一部の電子装置に上記付加機能を割り当てるとともに、上記付加機能を割り当てた電子装置の電池残量が基準以下となったとき、当該付加機能を他の電子装置に割り当て直す付加機能割当手段を備えることを特徴としている。
【００１７】
また、本発明に係る付加機能割当装置の制御方法は、複数の電子装置が協調して共通機能を実行し、かつ、当該複数の電子装置のうちの一部の電子装置のみが上記共通機能とともに付加機能を実行する電子装置システムを構成する付加機能割当装置の制御方法であって、上記付加機能を割り当てた上記一部の電子装置の電池残量が基準以下となったとき、当該付加機能を他の電子装置に割り当て直す付加機能割当変更ステップを含む、ことを特徴としている。
【００１８】
上記の構成によれば、電子装置システムを構成する付加機能割当装置は、電子装置システムを構成する複数の電子装置のうちの一部の電子装置のみに付加機能を割り当てる。これにより、電子装置システムの複数の電子装置のうち、付加機能の割り当てを受け付けた一部の電子装置のみが、共通機能とともに付加機能を実行することができる。そして、上記付加機能割当装置は、付加機能を割り当てた電子装置の電池残量が基準以下となったとき、当該付加機能を他の電子装置に割り当て直す。これにより、電子装置システム全体として付加機能を維持させるとともに、電池残量が減少した電子装置の稼働時間を延長させて共通機能を維持させることができる。
【００１９】
したがって、付加機能を実行する電子装置の電池残量の減少に対して、電子装置システム全体としての機能の低下を抑えるように、最適な制御を選択することが可能となるという効果を奏する。
【００２０】
ここで、上記共通機能は、複数の電子装置が協調して１つ以上の画像情報を出力する画像表示機能であってもよい。また、上記付加機能は、音声出力機能や、ユーザによるタッチ操作等を検出するユーザ操作検出機能であってもよい。また、共通機能と付加機能とは、異種の機能でなくてもよく、例えば表示内容が異なれば、共通機能および付加機能がともに表示機能であってもよい。
【００２１】
さらに、本発明に係る付加機能割当装置は、上記付加機能割当手段は、割り当て直す前の電子装置に最も近接している電子装置に付加機能を割り当てることを特徴としている。
【００２２】
上記の構成によれば、さらに、割り当て直す前の電子装置に最も近接している電子装置に付加機能を割り当てるため、付加機能を実行する電子装置の電子装置システム全体における配置位置をできるだけ変えずに、付加機能を維持することができるという効果を奏する。
【００２３】
また、本発明に係る電子装置システムは、複数の電子装置が協調して共通機能を実行し、かつ、当該複数の電子装置のうちの一部の電子装置のみが上記共通機能とともに付加機能を実行する電子装置システムであって、上記複数の電子装置のうちの一部の電子装置のみが上記共通機能とともに付加機能を実行するように、当該一部の電子装置に上記付加機能を割り当てる付加機能割当手段を備えてなり、上記の各電子装置は、他の電子装置と協調して、上記共通機能を実行する共通機能手段と、上記共通機能とともに、上記付加機能を実行する付加機能手段と、自装置の電池残量を検出する電池残量検出手段とをそれぞれ備え、上記付加機能割当手段は、上記付加機能を割り当てた電子装置の電池残量が基準以下となったとき、当該付加機能を他の電子装置に割り当て直すことを特徴としている。
【００２４】
上記の構成によれば、上述した本発明に係る電子装置および付加機能割当装置（付加機能割当手段）の作用が実現される。したがって、付加機能を実行する電子装置の電池残量の減少に対して、電子装置システム全体としての機能の低下を抑えるように、最適な制御を選択することが可能となるという効果を奏する。
【００２５】
さらに、本発明に係る電子装置システムは、上記共通機能が画像表示機能であってもよい。
【００２６】
さらに、本発明に係る電子装置システムは、上記付加機能が音声出力機能であってもよい。
【００２７】
さらに、本発明に係る電子装置システムは、上記付加機能がユーザ操作検出機能であってもよい。
【００２８】
なお、上記電子装置および上記付加機能割当装置は、コンピュータによって実現してもよく、この場合には、コンピュータを上記各手段として動作させることにより上記電子装置および上記付加機能割当装置をコンピュータにて実現させる上記電子装置および上記付加機能割当装置の制御プログラム、およびそれを記録したコンピュータ読み取り可能な記録媒体も、本発明の範疇に入る。
【発明の効果】
【００２９】
本発明に係る電子装置は、他の電子装置と協調して、共通機能を実行する共通機能手段と、上記共通機能とともに、付加機能を実行する付加機能手段と、自装置の電池残量を検出する電池残量検出手段とを備えるとともに、電子装置システムが備える付加機能割当手段から、自装置に対する上記付加機能の割り当てを受け付けて、上記付加機能手段に上記付加機能を実行させ、かつ、上記電池残量検出手段が自装置の電池残量が基準以下となったことを検出したとき、その旨を上記付加機能割当手段に通知する制御手段を備える構成である。
【００３０】
また、本発明に係る電子装置の制御方法は、電子装置システムが備える付加機能割当手段から、自装置に対する付加機能の割り当てを受け付けて、上記付加機能を実行する付加機能実行ステップと、自装置の電池残量が基準以下となったことを検出したとき、その旨を上記付加機能割当手段に通知する電池残量通知ステップとを含む方法である。
【００３１】
また、本発明に係る付加機能割当装置は、複数の電子装置のうちの一部の電子装置のみが共通機能とともに付加機能を実行するように、当該一部の電子装置に付加機能を割り当てるとともに、上記付加機能を割り当てた電子装置の電池残量が基準以下となったとき、当該付加機能を他の電子装置に割り当て直す付加機能割当手段を備える構成である。
【００３２】
また、本発明に係る付加機能割当装置の制御方法は、付加機能を割り当てた一部の電子装置の電池残量が基準以下となったとき、当該付加機能を他の電子装置に割り当て直す付加機能割当変更ステップを含む方法である。
【００３３】
上記の構成および方法によれば、付加機能を実行する電子装置の電池残量の減少に対して、電子装置システム全体としての機能の低下を抑えるように、最適な制御を選択することが可能となるという効果を奏する。
【図面の簡単な説明】
【００３４】
【図１】本発明の一実施形態に係る画像表示システムの構成を示すブロック図である。
【図２】図１に示した画像表示システムのクライアントの一配置例を示す模式図である。
【図３】図２に示した配置例における機能割当テーブルの例を示す模式図である。
【図４】図１に示した画像表示システムのクライアントの他の配置例を示す模式図である。
【図５】図４に示した配置例における機能割当テーブルの例を示す模式図である。
【図６】図１に示した画像表示システムのクライアントのさらに他の配置例を示す模式図である。
【図７】図６に示した配置例における機能割当テーブルの例を示す模式図である。
【図８】図１に示した画像表示システムにおける処理の流れを示すフローチャートである。
【図９】図２に示した配置例における機能割当テーブルの更新後の状態を示す模式図である。
【図１０】図２に示した配置例によって、画像表示システムの動作例を示す説明図である。
【図１１】本発明の他の実施形態に係る画像表示システムの構成を示すブロック図である。
【図１２】図１１に示した画像表示システムのクライアントの一配置例を示す模式図である。
【図１３】図１２に示した配置例における機能割当テーブルの例を示す模式図である。
【図１４】本発明のさらに他の実施形態に係る画像表示システムのクライアントの配置例を示す模式図である。
【図１５】図１４に示した配置例における機能割当テーブルの例を示す模式図である。
【発明を実施するための形態】
【００３５】
〔実施の形態１〕
本発明の一実施の形態について図１から図１０に基づいて説明すれば、以下のとおりである。
【００３６】
図１は、本実施の形態に係る画像表示システム１の構成を示すブロック図である。
【００３７】
図１に示すように、画像表示システム（電子装置システム）１は、複数のクライアント（電子装置）Ｃ…およびサーバ（付加機能割当装置）１１を備えて構成されている。
【００３８】
画像表示システム１は、表示装置である複数のクライアントＣ…が協調して１つ以上の画像情報を出力するものである。特に、本実施の形態では、画像表示システム１は、複数のクライアントＣ…が協調して画像表示機能（共通機能）を実行し、かつ、当該複数のクライアントＣ…のうちの一部のクライアントＣのみが画像表示機能（共通機能）とともに音声出力機能（付加機能）を実行する。なお、「音声」は、スピーカ等の音声出力装置によって出力可能な音をすべて含む意味で用いるものとする。
【００３９】
画像表示システム１は、サーバ１１、およびサーバ１１にネットワークによって接続された複数のクライアントＣ…を含んで構成される。なお、上記ネットワークには、例えば無線ＬＡＮ（Local Area Network）もしくは有線ＬＡＮによるＬＡＮ３０によるネットワーク、またはＩＥＥＥ（Institute of Electrical and Electronic Engineers)１３９４等の規格を用いたネットワークを適宜利用できる。
【００４０】
各クライアントＣは、同じ構成である。また、クライアントＣの数は特に制限されず、画像表示システム１は任意の数のクライアントＣが接続可能である。以下では、ｎ（ｎ＞１）台のクライアントＣ１〜クライアントＣｎが接続されているものとする。また、各クライアントＣを区別する必要がないときは、単に「クライアントＣ」と表記し、区別する必要があるときは、「クライアントＣ１」のように番号を付記することにする。
【００４１】
クライアントＣは、サーバ１１の制御に基づき、他のクライアントＣと協調して画像の表示を行う。図１に示すように、クライアント（電子装置）Ｃは、クライアント制御部（制御手段）３１、通信部３２、表示部（共通機能手段）３３、音声出力部（付加機能手段）３４、電池残量検出部（電池残量検出手段）３５を少なくとも備える。
【００４２】
クライアント制御部３１は、クライアントＣの各部の動作を制御する。詳細については後述する。
【００４３】
通信部３２は、サーバ１１との通信を行う。この通信には、上述した各種のネットワークを適宜利用できる。
【００４４】
表示部３３は、画像の表示を行う。詳細には、表示部３３は、他のクライアントＣと協調して、１つ以上の画像情報を出力する画像表示機能（共通機能）を実行する。ここで、クライアントＣ１〜Ｃｎの各表示部３３は、１つの画像を分割して複数の画面に表示するため、画面サイズおよび表示方式が統一されていることが好ましい。また、表示部３３としては、ＬＣＤ、ＣＲＴ、有機ＥＬ素子（Electro Luminescent device）を含むＥＬ表示素子、ＰＤＰ（Plasma Display Panel）、および蛍光表示管等、画像情報を表示可能な画像表示デバイスであれば直視型、投射型、発光型、反射型の表示方式は問わず利用できる。
【００４５】
音声出力部３４は、音の出力を行う。詳細には、音声出力部３４は、上記画像表示機能（共通機能）とともに、音声出力機能（付加機能）を実行する。
【００４６】
電池残量検出部３５は、自装置の電池残量を検出する。
【００４７】
そして、クライアント制御部３１は、サーバ１１の機能割当部２４から、自装置に対する音声出力機能（付加機能）の割り当てを受け付けて、音声出力部３４に音声出力機能を実行させる。また、クライアント制御部３１は、電池残量検出部３５が自装置の電池残量が基準以下となったことを検出したとき、その旨を上記機能割当部２４に通知する。また、クライアント制御部３１は、上記機能割当部２４への自装置の電池残量が基準以下となった旨の通知に対して、機能割当部２４から、自装置に対する上記音声出力機能（付加機能）の割り当ての解除を受け付けて、機能割当部２４に音声出力機能の実行を停止させる。
【００４８】
サーバ１１は、表示部３３を備えた各クライアントＣを制御し、複数の表示装置で一つの画像を協調表示するよう制御を行う。図１に示すように、サーバ１１は、サーバ制御部２１、通信部２２、記憶部２３、機能割当部２４を少なくとも備える。
【００４９】
サーバ制御部２１は、サーバ１１の各部の動作を制御する。
【００５０】
通信部２２は、各クライアントＣとの通信を行う。この通信には、上述した各種のネットワークを適宜利用できる。
【００５１】
記憶部２３は、クライアントＣに出力する動画等のコンテンツ情報およびクライアントの配置位置情報等を記憶する。
【００５２】
機能割当部２４は、各クライアントＣの配置位置をもとに、各クライアントＣに機能を割り当てる。詳細には、機能割当部２４は、複数のクライアントＣ…のうちの一部のクライアントＣのみが画像表示機能（共通機能）とともに音声出力機能（付加機能）を実行するように、当該一部のクライアントＣに音声出力機能を割り当てる。また、機能割当部２４は、音声出力機能を割り当てた引継元クライアント（電子装置）Ｃｓの電池残量が基準以下となったとき、当該音声出力機能を他の引継先クライアント（電子装置）Ｃｄに割り当て直す。
【００５３】
ここで、機能割当部２４は、割り当て直す前の引継元クライアントＣｓに最も近接しているクライアントＣを、引継先クライアントＣｄとして選択してもよい。この場合、機能割当部２４は、クライアントＣの配置位置に応じて、音声出力機能（付加機能）を割り当て、割り当てた結果を記憶部２３に記憶させる。なお、音声出力機能（付加機能）の割り当てに際しては、あらかじめ、複数のクライアントＣを割り当て候補とし、各候補間で割り当ての優先度を付けておいてもよいが、これに限定されない。
【００５４】
また、クライアントＣの配置位置に応じて、音声出力機能（付加機能）を割り当てるために、サーバ１１は、クライアントＣ…それぞれの配置位置を記憶部２３に記憶する。なお、クライアントＣの配置位置の検出には、例えば、先行技術文献として挙げた特許文献１または特許文献２等に記載の方法が利用できる。すなわち、各画像表示装置に備えられた入力手段に所定の順序で入力を行うことで画像表示装置とマルチ画面表示エリアの対応付けを行う方法や（特許文献１）、各クライアントから隣接情報（自クライアントのクライアントＩＤおよび各方向に隣接するそれぞれのクライアントのクライアントＩＤを含む。）を取得し、取得した隣接情報に基づいて、クライアントの全体構成および各クライアントの配置位置を自動で設定あるいは手動で設定する方法（特許文献２）を用いて、クライアントＣの配置位置を検出することができる。
【００５５】
つぎに、画像表示システム１のクライアントＣの配置例と、その配置例における付加機能の機能割当テーブルＴの例について説明する。
【００５６】
第一に、図２は、画像表示システム１のクライアントＣの一配置例を示す模式図である。図２を参照して、４つのクライアントＣ１〜Ｃ４が、横１列に配置された場合について説明する。
【００５７】
左端のクライアントＣ１は、音声出力機能（付加機能）を割り当てられており、音声出力部３４から、左チャンネル（Ｌｃｈ）の音を出力する。また、右端のクライアントＣ４は、音声出力機能（付加機能）を割り当てられており、音声出力部３４から、右チャンネル（Ｒｃｈ）の音を出力する。一方、クライアントＣ２およびクライアントＣ３は、音声出力機能（付加機能）が割り当てられていないため、音声出力を行わないが、それぞれクライアントＣ１およびクライアントＣ４の代替候補として割り当てられている。
【００５８】
図３は、図２に示したクライアントＣの配置例における機能割当テーブルＴの例を示す模式図である。この機能割当テーブルＴは、記憶部２３に記憶される。
【００５９】
図３中、「割当機能名」は、各クライアントＣが担い得る機能の種別を示す。この例では、「Ｌｃｈの音声を出力する」（Ｌｃｈの音声出力）、および、「Ｒｃｈの音声を出力する」（Ｒｃｈの音声出力）が設定されている。また、「クライアントＩＤ」は、画像表示システム１を構成するクライアントＣ…、すなわち、協調表示を行うクライアントＣ…を示す。
【００６０】
そして、機能割当テーブルＴには、各クライアントＣが付加機能を担うか否かが登録されている。図３中、「○」は、当該クライアントＣに付加機能が割り当てられていることを示す。「△」は、当該クライアントＣに付加機能の割り当てが可能であることを示す（○の代替候補）。「×」は、当該クライアントＣには付加機能の割り当てが不可であることを示す。
【００６１】
なお、付加機能の割り当ては、付加機能の種別、クライアントＣ…の数、または配置位置に応じて任意に決定しておけばよい。
【００６２】
第二に、図４は、画像表示システム１のクライアントＣの他の配置例を示す模式図である。また、図５は、図４に示したクライアントＣの配置例における機能割当テーブルＴの例を示す模式図である。
【００６３】
図４の例では、６つのクライアントＣ１〜Ｃ６が、横１列に配置されている。この場合、例えば図５に示すように、機能割当テーブルＴに登録され得る。すなわち、左端から１番目および２番目のクライアントＣ１およびクライアントＣ２には「Ｌｃｈの音声出力」が割り当てられている。また、右端から１番目および２番目のクライアントＣ５およびクライアントＣ６には「Ｒｃｈの音声出力」が割り当てられている。一方、左端から３番目のクライアントＣ３および右端から３番目のクライアントＣ４は、音声出力機能（付加機能）が割り当てられていないため、音声出力を行わないが、それぞれ、クライアントＣ１・Ｃ２およびクライアントＣ５・Ｃ６の代替候補として割り当てられ得る。
【００６４】
第三に、図６は、画像表示システム１のクライアントＣのさらに他の配置例を示す模式図である。また、図７は、図６に示したクライアントＣの配置例における機能割当テーブルＴの例を示す模式図である。
【００６５】
図６の例では、４つのクライアントＣ１〜Ｃ４が縦２段横２列に配置されている。この場合、例えば図７に示すように、機能割当テーブルＴに登録され得る。すなわち、左上のクライアントＣ１には「Ｌｃｈの音声出力」が割り当てられている。また、右上のクライアントＣ２には「Ｒｃｈの音声出力」が割り当てられている。一方、左下のクライアントＣ３および右下のクライアントＣ４は、音声出力機能（付加機能）が割り当てられていないため、音声出力を行わないが、それぞれ、クライアントＣ１およびクライアントＣ２の代替候補として割り当てられ得る。
【００６６】
以上のような設定に従い、各クライアントＣは、記憶部２３に格納されたコンテンツを協調出力する。出力すべき映像データは、サーバ１１で分割して、各クライアントＣに送信してもよい。あるいは、分割前の映像データを、サーバ１１から各クライアントにＣ送信し、クライアントＣで加工して出力してもよい。
【００６７】
また、サーバ制御部２１は、通信部２２を介して、機能が割り当てられたクライアントＣに機能の割り当てを通知し、当該クライアントＣは割り当てられた機能を作動させる。出力すべき音声データは、「Ｌｃｈの音声出力」または「Ｒｃｈの音声出力」が割り当てられたクライアントＣのみに送信してもよい。あるいは、各クライアントＣ…に音声データを送信し、各クライアントＣ…が機能の割り当ての通知に従って、出力するか否かを判断してもよい。
【００６８】
以下、図８を参照しながら、画像表示システム１の協調表示中の動作について説明する。図８は、画像表示システム１における処理の流れを示すフローチャートである。
【００６９】
協調表示中、各クライアントＣの電池残量検出部３５は、定期的に当該クライアントＣの電池残量を監視する（Ｓ８０２）。そして、各クライアントＣの電池残量検出部３５は、当該クライアントＣの電池残量が基準（例えば、所定の一定値）を下回っているかどうかを調べ（Ｓ８０３）、下回っていた場合（Ｓ８０３にてＹＥＳ）、当該クライアントＣのクライアント制御部３１は通信部３２を介して、その旨をサーバ１１へ通知する（Ｓ８０４）。一方、基準を下回っていない場合（Ｓ８０３にてＮＯ）、開始（Ｓ８０１）へ戻る。電池残量の上記基準としては、個別に付加機能（音声出力機能）を担っていたクライアントＣが、その機能を停止した後も映像データの表示をある程度継続できるように設定する。クライアントＣの電池容量または協調表示中の消費電力に応じて、任意に決定すればよい。なお、Ｓ８０２〜Ｓ８０４が電池残量通知ステップである。
【００７０】
つぎに、サーバ１１が上記通知を受けると、サーバ制御部２１は、機能割当部２４に対して、記憶部２３に記憶された機能割当テーブルＴの検索を指示する。そして、機能割当部２４は、通知のあったクライアントＣが付加機能を担っていないかを照合する（Ｓ８０５）。付加機能を担っていない場合（Ｓ８０６にてＮＯ）、開始（Ｓ８０１）へ戻る。
【００７１】
一方、付加機能を担っている場合（Ｓ８０６にてＹＥＳ）、機能割当部２４は、当該付加機能の引継先となり得るクライアントＣの有無を照合する（Ｓ８０７）。すなわち、機能割当部２４は、記憶部２３の機能割当テーブルＴを検索し、当該機能の引継可能なクライアントＣ（機能割当テーブルＴの△印）の有無を照合する。
【００７２】
そして、引継可能なクライアントＣが見つかった場合（Ｓ８０８にてＹＥＳ）、機能割当部２４は、当該クライアントＣ（引継先クライアントＣｄ）に付加機能を割り当てる（Ｓ８１２；付加機能割当変更ステップ）。サーバ制御部２１は、通信部２２を介して、引継先クライアントＣｄに通知する（Ｓ８１３；付加機能割当変更ステップ）。この通知を受けた引継先クライアントＣｄは、新たに割り当てられた付加機能を作動させる（Ｓ８１４；付加機能実行ステップ）。
【００７３】
また同時に、機能割当部２４は、もともと付加機能を担っていたクライアントＣ（引継元クライアントＣｓ）の付加機能の割り当てを解除する（Ｓ８０９；付加機能割当変更ステップ）。サーバ制御部２１は、通信部２２を介して、引継元クライアントＣｓに通知する（Ｓ８１０；付加機能割当変更ステップ）。この通知を受けた引継元クライアントＣｓは、割り当てられていた付加機能を停止する（Ｓ８１１）。その後、機能割当部２４は、引継元クライアントＣｓに対する付加機能の割り当てを解除するとともに、引継先クライアントＣｄに付加機能を割り当てた状態に、記憶部２３の機能割当テーブルＴを更新する（Ｓ８１５）。
【００７４】
ここで、図２および図３の構成を例に、クライアントＣ１の電池残量が、一定値を下回った場合（図１０の（ii））の具体的な動作を説明する。図９は、図２に示したクライアントＣの配置例における機能割当テーブルＴの更新後の状態を示す模式図である。また、図１０は、図２に示したクライアントＣの配置例によって、画像表示システム１の動作例を示す説明図である。
【００７５】
まず、クライアントＣ１はＬｃｈの音声出力を担っているため、機能割当部２４は、当該機能の引継可能なクライアント（Ｃ１の代替候補）の有無を照合する。そして、クライアントＣ２が当該機能の引継可能（△印）であるので、機能割当部２４は、クライアントＣ２にＬｃｈの音声出力を割り当てる。このとき、サーバ制御部２１は、通信部２２を介して、クライアントＣ２に通知する。それと同時に、機能割当部２４は、クライアントＣ１のＬｃｈの音声出力の割り当てを解除し、サーバ制御部２１は、通信部２２を介して、クライアントＣ１に通知する。これにより、クライアントＣ２はＬｃｈの音声出力を行い、クライアントＣ１はＬｃｈの音声出力を停止して映像表示のみに切替える（図１０の（iii））。最後に、機能割当部２４は、機能割当テーブルＴを図９のように更新し、記憶部２３に記憶する。
【００７６】
以上のように付加機能の割り当て先を変更することにより、クライアントＣ１は音声出力を停止するので、音声出力している状態よりも消費電力が減り、結果的に表示動作できる残り時間が延びる。代わりに、音声出力はクライアントＣ２が担うため、クライアントＣ１で音声出力していた時に比べ、画像表示システム１全体として音のステレオ感は低下するものの、Ｌｃｈの音が全く聞こえないという機能低下は防ぐことができる。すなわち、画像表示システム１全体としての機能の低下を最低限に抑えつつ、クライアントＣ１の稼動時間の延長を図ることができるという効果を奏する。
【００７７】
なお、引継先クライアントＣｄが見つからなかった場合は（Ｓ８０８にてＮＯ）、クライアントＣ１（引継元クライアントＣｓ）の機能停止のみを行う（Ｓ８０９〜Ｓ８１１、Ｓ８１５）ようにしてもよいし、何もしなくてもよい（Ｓ８０８からの点線矢印）。何もしない場合は、一定値を超えてさらに電池が消費されたのち、ローバッテリ状態となりクライアントＣ１の動作全体が停止することになる。付加機能のみを停止した場合は、何もしない場合に比べて、機能低下するものの、動作時間は延長されることとなる。
【００７８】
〔実施の形態２〕
本発明の他の実施の形態について図１１から図１３に基づいて説明すれば、以下のとおりである。なお、説明の便宜上、前記の実施の形態１において示した部材と同一の機能を有する部材には、同一の符号を付し、その説明を省略する。
【００７９】
特定のクライアントＣに割り当てる付加機能としては、実施の形態１において説明した音声出力の他に、操作指示の受け入れ（タッチ操作検出）がある。近年、タッチパネル操作で行う端末が普及しており、タッチ検出のために、常時、タッチセンサ部品の電源を入れておく必要がある。これを協調表示中は、特定のクライアントＣだけに割り当てることで、他のクライアントＣの消費電力を抑止できる。
【００８０】
図１１は、本実施の形態に係る画像表示システム１′の構成を示すブロック図である。
【００８１】
図１１に示すように、画像表示システム（電子装置システム）１′は、複数のクライアント（電子装置）Ｃ…およびサーバ（付加機能割当装置）１１を備えて構成されている。
【００８２】
本実施の形態では、画像表示システム１′は、複数のクライアントＣ…が協調して画像表示機能（共通機能）を実行し、かつ、当該複数のクライアントＣ…のうちの一部のクライアントＣのみが画像表示機能（共通機能）とともにタッチ操作検出機能（付加機能）を実行する。なお、画像表示システム１′においても、音声出力機能を付加機能として特定のクライアントＣに割り当て、実施の形態１で説明した制御によって、電池残量検出および割り当て変更を行うものとする。そして、音声出力機能の割り当て変更と、タッチ検出機能の割り当て変更とを、連動して制御してもよいし、独立に制御してもよい。
【００８３】
図１１に示すように、クライアント（電子装置）Ｃは、クライアント制御部（制御手段）３１、通信部３２、表示部（共通機能手段）３３、音声出力部（付加機能手段）３４、電池残量検出部（電池残量検出手段）３５に加えて、タッチ検出部（付加機能手段）３６を少なくとも備える。
【００８４】
タッチ検出部３６は、ユーザの操作を検出する。具体的には、例えば上述したような、表示映像に対する早送り、巻き戻し、および停止等の指示、音量の変更の指示、ワンセグ放送を表示中であればチャンネルの切替え等の指示のためのユーザ操作を検出する。なお、検出するユーザ操作は、タッチに限定されるものではなく、例えば、キーやマウス等を介して行われる操作も含まれる。
【００８５】
つぎに、画像表示システム１′のクライアントＣの配置例と、その配置例における付加機能の機能割当テーブルＴの例について説明する。
【００８６】
図１２は、画像表示システム１′のクライアントＣの一配置例を示す模式図である。図１２の例では、４つのクライアントＣ１〜Ｃ４が、横１列に配置されている。４つのクライアントＣ１〜Ｃ４は、協調表示中は、左端のクライアントＣ１のみがタッチ検出部３６によってタッチ操作を検出可能とし、残りのクライアントＣ２、Ｃ３、Ｃ４はタッチ操作を検出不可とする。
【００８７】
図１３は、図１２に示したクライアントＣ１〜Ｃ４の配置例における機能割当テーブルＴの例を示す模式図である。
【００８８】
図１２の例では、４つのクライアントＣ１〜Ｃ４が、横１列に配置されている。この場合、例えば図１３に示すように、機能割当テーブルＴに登録され得る。すなわち、左端のクライアントＣ１には「タッチ操作検出」が割り当てられている。一方、他のクライアントＣ２〜Ｃ４は、タッチ操作検出機能（付加機能）が割り当てられていないため、タッチ操作検出を行わないが、それぞれ、クライアントＣ１の代替候補として割り当てられ得る。
【００８９】
ここで、図１３のように、複数のクライアントＣ２〜Ｃ４に対して、付加機能の代替が可能（△印）とした場合、付加機能を引継可能なクライアントが複数検出されることになる（図８のステップＳ８０８）。このような場合には、引継元クライアントＣｓに最も近いクライアントＣを引継先クライアントＣｄとしてもよい。また、最初に検出されたクライアントＣを引継先クライアントＣｄとしてもよい。あるいは、機能割当テーブルＴに記憶する値に、さらに細かな優先度をつけ、優先度の高いものを引継先クライアントＣｄとしてもよい。
【００９０】
なお、１つのクライアントＣに割り当て可能な付加機能は、１つに限らず、複数であってもよい。ただし、消費電流の観点で見ると、１つのクライアントＣが複数の付加機能を兼務することは望ましくない。このため、例えば、付加機能間に優先順位をあらかじめ定めておき、付加機能の引き継ぎを行う際、引継先候補のクライアントＣが既に優先順位の高い付加機能を担っていたら、引継先候補から除外することが好ましい。ただし、引継先候補として適当なクライアントＣがなければ、付加機能の兼務を認めてもよい。
【００９１】
例えば、付加機能が音声出力とタッチ検出であれば、優先順位を“音声出力＞タッチ検出”と定めておく。ここでは、音声出力はＬ／Ｒバランスをとる必要があるが、タッチ検出は、どのクライアントＣで行っても機能低下はほとんどないため、このように優先順位を定めることにする。そして、タッチ検出を行うクライアントＣを引き継ぐ必要が生じた場合、引継先候補のクライアントＣのうち、音声出力を担っているクライアントＣを除いた、音声出力を担っていないクライアントＣに引き継ぐようにする。
【００９２】
〔実施の形態３〕
本発明のさらに他の実施の形態について図１４、図１５に基づいて説明すれば、以下のとおりである。なお、説明の便宜上、前記の実施の形態１、２において示した部材と同一の機能を有する部材には、同一の符号を付し、その説明を省略する。
【００９３】
本実施の形態では、１つのクライアントＣに割り当て可能な付加機能が複数ある場合について説明する。ただし、付加機能の兼務はできない。具体的には、１つのクライアントＣには、音声出力（大音量）／音声出力（中音量）／音声出力（小音量）の何れかが付加機能として割り当て可能である。
【００９４】
本実施の形態に係る画像表示システム１″の構成は、基本的に、実施の形態１に係る画像表示システム１（図１）と同様である。
【００９５】
クライアントＣの音声出力部３４には、小さなスピーカが１つ、２つ程度設けられているものとする。この場合、通常、１つのクライアントＣだけでは十分なステレオ感が得られない。しかし、画像表示システム１″では、複数のクライアントＣを集めて、ステレオ感が得られる大型スピーカのように利用するものである。
【００９６】
なお、本実施の形態では、複数のクライアントＣ…が協調して画像表示機能（共通機能）を実行する場合について説明するが、画像表示機能はＯＦＦされていてもよく、クライアントＣに機能が設けられていなくてもよい。すなわち、本実施の形態では、共通機能としての画像表示機能は必須ではない。
【００９７】
つぎに、画像表示システム１″のクライアントＣの配置例と、その配置例における付加機能の機能割当テーブルＴの例について説明する。
【００９８】
図１４は、画像表示システム１″のクライアントＣの配置例を示す模式図である。また、図１５は、図１４に示したクライアントＣの配置例における機能割当テーブルＴの例を示す模式図である。
【００９９】
図１４の例では、６つのクライアントＣ１〜Ｃ６が、横１列に配置されている。この場合、例えば図１５に示すように、機能割当テーブルＴに登録され得る。すなわち、左端から順にクライアントＣ１、Ｃ２，Ｃ３には、それぞれ、「Ｌｃｈの音声出力（大音量）」、「Ｌｃｈの音声出力（中音量）」、「Ｌｃｈの音声出力（小音量）」が割り当てられている。また、「Ｌｃｈの音声出力（大音量）」について、クライアントＣ２，Ｃ３が、代替候補として割り当てられている。また、「Ｌｃｈの音声出力（中音量）」について、クライアントＣ３が、代替候補として割り当てられている。同様に、右端から順にクライアントＣ６、Ｃ５，Ｃ４には、それぞれ、「Ｒｃｈの音声出力（大音量）」、「Ｒｃｈの音声出力（中音量）」、「Ｒｃｈの音声出力（小音量）」が割り当てられている。また、「Ｒｃｈの音声出力（大音量）」について、クライアントＣ５，Ｃ４が、代替候補として割り当てられている。また、「Ｒｃｈの音声出力（中音量）」について、クライアントＣ４が、代替候補として割り当てられている。
【０１００】
上記の設定により、初期状態では、図１４に示すように、中央寄りの位置から中小音量で音声出力されるとともに、両端の位置から大音量で音声出力されるため、広がり感（ステレオ感）のある音声出力を実現できる。
【０１０１】
そして、この状態で、例えばクライアントＣ１（大音量でＬｃｈを出力）の電池残量が低下した場合、クライアントＣ２がその機能を引き継ぐことになる。このとき、クライアントＣ１に対する音声出力の機能の割り当ては解除され、音量がＯＦＦされる。さらに、その後、クライアントＣ２の電池残量が低下した場合、クライアントＣ３がその機能を引き継ぐことになる。このとき、クライアントＣ２に対する音声出力の機能の割り当ても解除され、音量がＯＦＦされる。
【０１０２】
ここで、機能の引き継ぎの際、引継先のクライアントに既に機能が割り当てられている場合には、「より音量の大きい機能を優先する」という条件に従うものとする。これにより、例えば、クライアントＣ１からクライアントＣ２が「Ｌｃｈの音声出力（大音量）」の機能を引き継ぐとき、クライアントＣ２は、「Ｌｃｈの音声出力（中音量）」の機能が既に割り当てられているが、上記条件に従って、クライアントＣ２に割り当てる機能が「Ｌｃｈの音声出力（中音量）」から「Ｌｃｈの音声出力（大音量）」に変更される。また同様に、「Ｌｃｈの音声出力（中音量）」の機能は、クライアントＣ３が引継可能であれば、クライアントＣ２からクライアントＣ３に引き継がれる。
【０１０３】
このようにすることで、クライアントの減電時も出力バランスをある程度保ちつつ、音声出力を継続することが可能となる。
【０１０４】
なお、クライアントＣの各ブロック、および、サーバ１１の各ブロックは、ハードウェアロジックによって構成してもよいし、次のようにＣＰＵを用いてソフトウェアによって実現してもよい。
【０１０５】
後者の場合、クライアントＣおよびサーバ１１は、各機能を実現するプログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるクライアントＣおよびサーバ１１の制御プログラムのプログラムコード（実行形式プログラム、中間コードプログラム、ソースプログラム）をコンピュータで読み取り可能に記録した記録媒体を、クライアントＣおよびサーバ１１に供給し、そのコンピュータ（またはＣＰＵやＭＰＵ）が記録媒体に記録されているプログラムコードを読み出し実行することによっても、達成可能である。
【０１０６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０７】
また、クライアントＣおよびサーバ１１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１０８】
また、本発明は以下のように記載することができる。
【０１０９】
本発明の電子装置（クライアントＣ）は、複数の電子装置（クライアントＣ）が協調して共通機能（画像表示機能）を実行し、かつ、当該複数の電子装置（クライアントＣ）のうちの一部の電子装置（クライアントＣ）のみが上記共通機能（画像表示機能）とともに付加機能（音声出力機能）を実行する電子装置システム（画像表示システム１）を構成する電子装置（クライアントＣ）であって、他の電子装置（クライアントＣ）と協調して、上記共通機能（画像表示機能）を実行する共通機能手段（表示部３３）と、上記共通機能（画像表示機能）とともに、上記付加機能（音声出力機能）を実行する付加機能手段（音声出力部３４）と、自装置の電池残量を検出する電池残量検出手段（電池残量検出部３５）とを備えるとともに、上記電子装置システム（画像表示システム１）が備える付加機能割当手段（機能割当部２４）から、自装置に対する上記付加機能（音声出力機能）の割り当てを受け付けて、上記付加機能手段（音声出力部３４）に上記付加機能（音声出力機能）を実行させ、かつ、上記電池残量検出手段（電池残量検出部３５）が自装置の電池残量が基準以下となったことを検出したとき、その旨を上記付加機能割当手段（機能割当部２４）に通知する制御手段（クライアント制御部３１）を備えて構成されていてもよい。
【０１１０】
さらに、上記電子装置（クライアントＣ）は、上記制御手段（クライアント制御部３１）は、上記付加機能割当手段（機能割当部２４）への自装置の電池残量が基準以下となった旨の通知に対して、上記付加機能割当手段（機能割当部２４）から、自装置に対する上記付加機能（音声出力機能）の割り当ての解除を受け付けて、上記付加機能手段（機能割当部２４）に上記付加機能（音声出力機能）の実行を停止させるものであってもよい。
【０１１１】
また、本発明の電子装置（クライアントＣ）の制御方法は、複数の電子装置（クライアントＣ）が協調して共通機能（画像表示機能）を実行し、かつ、当該複数の電子装置（クライアントＣ）のうちの一部の電子装置（クライアントＣ）のみが上記共通機能（画像表示機能）とともに付加機能（音声出力機能）を実行する電子装置システム（画像表示システム１）を構成する電子装置（クライアントＣ）の制御方法であって、上記電子装置システム（画像表示システム１）が備える付加機能割当手段（機能割当部２４）から、自装置に対する上記付加機能（音声出力機能）の割り当てを受け付けて、上記付加機能（音声出力機能）を実行する付加機能実行ステップと、自装置の電池残量が基準以下となったことを検出したとき、その旨を上記付加機能割当手段（機能割当部２４）に通知する電池残量通知ステップとを含んでいてもよい。
【０１１２】
また、本発明の付加機能割当装置（サーバ１１）は、複数の電子装置（クライアントＣ）が協調して共通機能（画像表示機能）を実行し、かつ、当該複数の電子装置（クライアントＣ）のうちの一部の電子装置（クライアントＣ）のみが上記共通機能（画像表示機能）とともに付加機能（音声出力機能）を実行する電子装置システム（画像表示システム１）を構成する付加機能割当装置（サーバ１１）であって、上記複数の電子装置（クライアントＣ）のうちの一部の電子装置（クライアントＣ）のみが上記共通機能（画像表示機能）とともに付加機能（音声出力機能）を実行するように、当該一部の電子装置（クライアントＣ）に上記付加機能（音声出力機能）を割り当てるとともに、上記付加機能（音声出力機能）を割り当てた電子装置（クライアントＣ）の電池残量が基準以下となったとき、当該付加機能（音声出力機能）を他の電子装置（クライアントＣ）に割り当て直す付加機能割当手段（機能割当部２４）を備えて構成されていてもよい。
【０１１３】
さらに、上記付加機能割当装置（サーバ１１）は、上記付加機能割当手段（機能割当部２４）は、割り当て直す前の電子装置（引継元クライアントＣｓ）に最も近接している電子装置（引継先クライアントＣｄ）に付加機能（音声出力機能）を割り当てるものであってもよい。
【０１１４】
また、本発明の付加機能割当装置（サーバ１１）の制御方法は、複数の電子装置（クライアントＣ）が協調して共通機能（画像表示機能）を実行し、かつ、当該複数の電子装置（クライアントＣ）のうちの一部の電子装置（クライアントＣ）のみが上記共通機能（画像表示機能）とともに付加機能（音声出力機能）を実行する電子装置システム（画像表示システム１）を構成する付加機能割当装置（サーバ１１）の制御方法であって、上記付加機能（音声出力機能）を割り当てた上記一部の電子装置（クライアントＣ）の電池残量が基準以下となったとき、当該付加機能（音声出力機能）を他の電子装置（クライアントＣ）に割り当て直す付加機能割当変更ステップを含んでいてもよい。
【０１１５】
また、本発明の付加機能割当装置（サーバ１１）は、複数の電子装置（クライアントＣ）が協調して共通機能（画像表示機能）を実行し、かつ、当該複数の電子装置（クライアントＣ）のうちの一部の電子装置（クライアントＣ）のみが上記共通機能（画像表示機能）とともに付加機能（音声出力機能）を実行する電子装置システム（画像表示システム１）であって、上記複数の電子装置（クライアントＣ）のうちの一部の電子装置（クライアントＣ）のみが上記共通機能（画像表示機能）とともに付加機能（音声出力機能）を実行するように、当該一部の電子装置（クライアントＣ）に上記付加機能（音声出力機能）を割り当てる付加機能割当手段（機能割当部２４）を備えてなり、上記の各電子装置（クライアントＣ）は、他の電子装置（クライアントＣ）と協調して、上記共通機能（画像表示機能）を実行する共通機能手段（表示部３３）と、上記共通機能（画像表示機能）とともに、上記付加機能（音声出力機能）を実行する付加機能手段（音声出力部３４）と、自装置の電池残量を検出する電池残量検出手段（電池残量検出部３５）とをそれぞれ備え、上記付加機能割当手段（機能割当部２４）は、上記付加機能（音声出力機能）を割り当てた電子装置（引継元クライアントＣｓ）の電池残量が基準以下となったとき、当該付加機能（音声出力機能）を他の電子装置（引継先クライアントＣｄ）に割り当て直すように構成されていてもよい。
【０１１６】
さらに、上記共通機能が画像表示機能であってもよい。
【０１１７】
さらに、上記付加機能が音声出力機能であってもよい。
【０１１８】
さらに、上記付加機能がユーザ操作検出機能であってもよい。
【０１１９】
また、本発明は以下のように記載することができる。
【０１２０】
本発明の画像表示装置は、複数の表示装置が協調して、１つ以上の画像情報を出力する画像表示装置であって、各表示装置は、音声出力部、電池残量検出部、表示部、をそれぞれ備え、さらに、各表示装置に付加機能を割り当てる機能割当部を備えてなり、付加機能を割り当てた表示装置の電池残量が、一定の値以下となった場合、機能割当部にて、当該機能を、他の表示装置に割り当て直すように構成されていてもよい。
【０１２１】
これにより、画像表示装置全体として、機能の低下を最低限に抑えつつ、画像表示装置の稼働時間の延長を図ることが可能となる。
【０１２２】
また、上記画像表示装置は、上記付加機能が、音声出力機能であってもよい。
【０１２３】
また、上記画像表示装置は、さらに各表示装置にタッチ検出部を備えてなり、上記付加機能が、タッチ操作検出であってもよい。
【０１２４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２５】
本発明は、複数の電子装置を用いて画像表示等を協調して行う電子装置システム等において好適に利用できる。
【符号の説明】
【０１２６】
Ｃ    クライアント（電子装置）
Ｃｄ  引継先クライアント（電子装置）
Ｃｓ  引継元クライアント（電子装置）
１、１′、１″    画像表示システム（電子装置システム）
１１    サーバ（付加機能割当装置）
２４    機能割当部（付加機能割当手段）
３１    クライアント制御部（制御手段）
３３    表示部（共通機能手段）
３４    音声出力部（付加機能手段）
３５    電池残量検出部（電池残量検出手段）
３６    タッチ検出部（付加機能手段）
Ｓ８０２〜Ｓ８０４    電池残量通知ステップ
Ｓ８０９，Ｓ８１０，Ｓ８１２，Ｓ８１３    付加機能割当変更ステップ
Ｓ８１４    付加機能実行ステップ
【図１】
0005856815.tif 000002
【図２】
0005856815.tif 000003
【図３】
0005856815.tif 000004
【図４】
0005856815.tif 000005
【図５】
0005856815.tif 000006
【図６】
0005856815.tif 000007
【図７】
0005856815.tif 000008
【図８】
0005856815.tif 000009
【図９】
0005856815.tif 000010
【図１０】
0005856815.tif 000011
【図１１】
0005856815.tif 000012
【図１２】
0005856815.tif 000013
【図１３】
0005856815.tif 000014
【図１４】
0005856815.tif 000015
【図１５】
0005856815.tif 000016